(57)【要約】【課題】調節リングの加工を行わずに軸継手の取付け位置を調節して、立軸ポンプに使用した場合における作業の安全とコストの低減、構造の簡素化と作業性の向上を図る。【解決手段】継手部２４ａ，２４ｂを弾性部材２６を介して連結することでポンプ軸１８と駆動軸２０とを動力伝達可能に連結する軸継手２２と、ポンプ軸に刻設した雄ねじ１８ａに螺着させて固定した軸ナット２８と該ポンプ軸の端部に取り付けた継手部２４ａとの間に配置されて軸継手２２の取付け位置を調節する調節リング装置４０とを備え、調節リング装置は、ポンプ軸に刻設した雄ねじに螺合可能な雌ねじ４２ａを内周面に刻設した円筒状の調節リング４２を有し、該調節リングの内周面に設けた雌ねじ４２ａをポンプ軸に刻設した雄ねじ１８ａに螺合させ継手部２４ａ側端面を該継手部に当接させて軸継手２２の取付け位置を調節する。【選択図】図１
2008241045.tif 000002
【特許請求の範囲】
【請求項１】
ポンプ軸及び駆動軸の端部にそれぞれ継手部を取付け該両継手部を弾性部材を介してフレキシブルに連結することでポンプ軸と駆動軸とを動力伝達可能に連結する軸継手と、
前記ポンプ軸に刻設した雄ねじに螺着させて固定した軸ナットと該ポンプ軸の端部に取り付けた前記継手部との間に配置されて前記軸継手の取付け位置を調節する調節リング装置とを備え、
前記調節リング装置は、前記ポンプ軸に刻設した前記雄ねじに螺合可能な雌ねじを内周面に刻設した円筒状の調節リングを有し、該調節リングの内周面に設けた雌ねじを前記ポンプ軸に刻設した前記雄ねじに螺合させ前記継手部側端面を該継手部に当接させて前記軸継手の取付け位置を調節するように構成されていることを特徴とする動力伝達軸の継手構造。
【請求項２】
前記調節リングには該調節リングの直径方向に貫通するねじ穴が設けられ、該ねじ穴に止めねじを螺着し該止めねじの先端を前記ポンプ軸に当接させることで、前記調節リングの前記ポンプ軸に対する廻り止めを施したことを特徴とする請求項１記載の動力伝達軸の継手構造。
【発明の詳細な説明】
【技術分野】
【０００１】
本発明は、例えば、立軸ポンプのポンプ軸と電動機の駆動軸等の２つの軸を動力伝達可能に連結する動力伝達軸の継手構造に関する。
【背景技術】
【０００２】
例えば、１床式の立軸ポンプにおいては、図５に示すように、ポンプ床１０にポンプ装置１２が吊り下げ固定され、このポンプ床１０に立設された架台１４の上面に電動機１６が据え付けられる。そして、ポンプ装置１２のポンプ軸１８と電動機１６の駆動軸２０とは、例えば、撓み軸継手（フレキシブルカップリング）等の軸継手２２によって動力伝達可能に連結される。
【０００３】
図６に詳細に示すように、軸継手２２の一方の継手部２４ａがポンプ軸１８の上端部に、他方の継手部２４ｂが駆動軸２０の下端部にそれぞれ取り付けられ、両継手部２４ａ，２４ｂは、例えば板ばね２６等の弾性部材を介してフレキシブルに連結されている。両者を連結する場合には、架台１４の高さ寸法に対するポンプ装置１２と電動機１６間の軸継手面間寸法Ｗ１を調節する必要がある。
【０００４】
このため、例えば、ポンプ軸１８の上部に刻設した雄ねじ（軸ねじ）１８ａに螺着される軸ナット（調整ナット）２８の上端面と該ポンプ軸１８に取り付けられる継手部２４ａの下端面との間に円筒状の調節リング３０を装着して、軸継手２２の取付け位置を調節していた。調節リング３０の長さＬは、電動機１６を架台１４上に仮据え付けした後、電動機１６側の軸端寸法Ｗ２及び軸継手面間寸法Ｗ１を測定して求め、工場或いは現場で長さＬを有する調節リング３０を加工していた。
【０００５】
一方、２床式の立軸ポンプにおいては、図７に示すように、ポンプ床１０とは別に電動機床３２が設けられ、ポンプ床１０にポンプ装置１２が吊り下げ固定され、電動機床３２の架台３４の上面に電動機１６が据え付けられる。ポンプ装置１２のポンプ軸１８と電動機１６の駆動軸２０とは、軸継手２２によって動力伝達可能に連結される。
【０００６】
そして、将来、地盤沈下等によって床間寸法に誤差が生じた場合のポンプ装置１２と電動機１６間の軸継手面間寸法の調節手段として、前述と同様に、ポンプ軸１８の上部に螺着した軸ナット２８の上端面と継手部２４ａの下端面との間に調節リング３０を装着していた。このことは、多床式の立軸ポンプにあっても同様であった。
【発明の開示】
【発明が解決しようとする課題】
【０００７】
しかしながら、このような従来の技術では、現場で長さを決定し、工場或いは現地で調節リングを加工していたので、作業が煩雑でかつ時間が掛かり、コストアップの要因となっていた。特に、大型の立軸ポンプにあっては、これらの作業を高所で行う必要があるために、安全上も好ましくなかった。
【０００８】
本発明は上記課題に鑑みて為されたもので、調節リングの加工を行わずに軸継手の取付け位置を調節して、特に、立軸ポンプに使用した場合における作業の安全とコストの低減、更には構造の簡素化と作業性の向上を図った動力伝達軸の継手構造を提供することを目的とする。
【課題を解決するための手段】
【０００９】
請求項１に記載の発明は、ポンプ軸及び駆動軸の端部にそれぞれ継手部を取付け該両継手部を弾性部材を介してフレキシブルに連結することでポンプ軸と駆動軸とを動力伝達可能に連結する軸継手と、前記ポンプ軸に刻設した雄ねじに螺着させて固定した軸ナットと該ポンプ軸の端部に取り付けた前記継手部との間に配置されて前記軸継手の取付け位置を調節する調節リング装置とを備え、前記調節リング装置は、前記ポンプ軸に刻設した前記雄ねじに螺合可能な雌ねじを内周面に刻設した円筒状の調節リングを有し、該調節リングの内周面に設けた雌ねじを前記ポンプ軸に刻設した前記雄ねじに螺合させ前記継手部側端面を該継手部に当接させて前記軸継手の取付け位置を調節するように構成されていることを特徴とする動力伝達軸の継手構造である。これにより、調節リングをポンプ軸に設けた雄ねじに螺合させて該ポンプ軸に沿って移動させることで、現場合せによる調整加工を施すことなく、軸継手の取付け位置を調節することができる。
【００１０】
請求項２に記載の発明は、前記調節リングには該調節リングの直径方向に貫通するねじ穴が設けられ、該ねじ穴に止めねじを螺着し該止めねじの先端を前記ポンプ軸に当接させることで、前記調節リングの前記ポンプ軸に対する廻り止めを施したことを特徴とする請求項１記載の動力伝達軸の継手構造である。
【発明の効果】
【００１１】
本発明によれば、調節リングを回転させてポンプ軸に沿って移動させることにより、調節リングを調節加工する必要がなくなり、軸継手の取付け位置調節作業を容易且つ迅速に、しかも安価に行うことができ、電動機の入庫に左右されることなく、組立工程を進めることができる。特に、立軸ポンプに使用することにより、電動機の吊り下げ、吊降しを含む高所での作業時間を大幅に短縮して危険防止を図り、しかも、更なる構造の簡素化と作業性の向上を図ることができる。
【発明を実施するための最良の形態】
【００１２】
以下、本発明の実施の形態を図１乃至図４を参照して説明する。
図１乃至図３は、本発明の実施の形態の動力伝達軸の継手構造を示すもので、この実施の形態では、ポンプ軸１８の上端部に刻設された雄ねじ（軸ねじ）１８ａに螺着した軸ナット２８の上方に、継手部２４ａのポンプ軸１８の長さ方向に沿った位置を調節する調節リング装置４０が装着されている。ポンプ軸１８と継手部２４ａとの間にはキー３６が装着されて、両者が一体となって回転するようになっている。
【００１３】
この調節リング装置４０には、略円筒状の調節リング４２が備えられ、この調節リング４２の下部内周面には、雄ねじ１８ａに螺合する雌ねじ４２ａが刻設されている。これによって、調節リング４２を雄ねじ１８ａに螺合させてポンプ軸１８の長さ方向に沿って、例えば、距離ΔＴだけ移動させて、この上端面を継手部２４ａの下端面に当接させることで、現場合せによる調整加工を施すことなく、軸継手２２の取付け位置を調節できるようになっている。
【００１４】
調節リング４２には、直径方向に貫通する複数（図示では４個）のねじ穴４２ｂと、外周面の互いに対向する対称位置に２個のキリ溝４２ｃがそれぞれ設けられている。これによって、キリ溝４２ｃにスパナの突起を嵌着させて調節リング４２を回転させることができ、また、ねじ穴４２ｂに廻り止め用の止めねじ４４を螺着することで、調節リング４２のポンプ軸１８に対する相対的な回転を防止するよう構成されている。
【００１５】
この実施の形態において、軸継手２２の取付け位置を調節する方法を説明する。
先ず、ポンプ軸１８に設けた軸ナット２８用の雄ねじ１８ａに調節リング装置４０の調節リング４２を該調節リング４２の下端面が軸ナット２８の上端面に近接するまで螺合させておき、この状態で、継手部２４ａを適当な部材に仮付けしておく。
【００１６】
そして、調節リング４２のキリ溝４２ｃにスパナの突起を嵌着して調節リング４２を回転させることで、調節リング４２をその上端面が継手部２４ａの下端面に当接するまでポンプ軸１８に沿って上動させる。さらに、スパナを増し締めしてガタを無くした後、ねじ穴４２ｂ内に止めねじ４４を螺着させて調節リング４２のポンプ軸１８に対する廻り止めを施す。これにより、調節リング４２をポンプ軸１８の雄ねじ１８ａに螺合させて、調節リング４２のポンプ軸１８に対する位置を調節することで、軸継手２２の取付け位置を容易且つ迅速に調節することができる。
【００１７】
この実施の形態によれば、調節リング装置４０は、基本的に円筒状の調節リング４２の１つの部材から構成され、これによって、構造の簡素化とよりコストダウンを図り、しかも、調節リング４２を回転させ止めねじ４４で止めるといった簡単な操作で軸継手２２の取付け位置を容易且つ迅速に調節することができる。しかも、ポンプ軸１８に設けた軸ナット２８用の雄ねじ１８ａを調節リング４２用に兼用することで、調節リング４２専用の雄ねじを新たに設ける必要をなくすことができる。
【００１８】
図４は、他の動力伝達軸の継手構造を示すもので、これは、ポンプ軸１８の軸ナット２８を螺着させる雄ねじ１８ａの上方の止めねじ施工作業を行うためのスペースを空けた位置に雄ねじ１８ｂを設け、この雄ねじ１８ｂに螺合する雌ねじ５２ａを内周面に設けた短尺円筒状の調節リング５２を該雄ねじ１８ｂに螺合させて調節リング装置５０を構成したものである。この例にあっては、調節リング５２の肉厚方向に貫通するねじ穴５２ｂに廻り止め用の止めねじ５４を螺着し、その先端を継手部２４ａの下端面に当接させることで、調節リング５２のポンプ軸１８に対する廻り止めを施工している。
【００１９】
この例にあっても、調節リング装置５０は、基本的に短尺円筒状の調節リング５２の１つの部材から構成され、これによって、構造の簡素化とよりコストダウンを図り、しかも、調節リング５２を回転させ止めねじ５４で止めるといった簡単な操作で軸継手２２の取付け位置を容易且つ迅速に調節することができる。
【図面の簡単な説明】
【００２０】
【図１】本発明の第１の実施の形態の動力伝達軸の継手構造の要部を示す断面図である。
【図２】調節リングの正面図である。
【図３】図２のＡ−Ａ線断面図である。
【図４】他の動力伝達軸の継手構造の要部を示す断面図である。
【図５】従来の１床式の立軸ポンプの据え付け例を示す縦断正面図である。
【図６】図５の要部拡大図である。
【図７】従来の２床式の立軸ポンプの据え付け例を示す縦断正面図である。
【符号の説明】
【００２１】
１２  ポンプ装置
１６  電動機
１８  ポンプ軸
１８ａ，１８ｂ  雄ねじ
２０  駆動軸
２２  軸継手
２４ａ，２４ｂ  継手部
２８  軸ナット
４０，５０  調節リング装置
４２，５２  調節リング
４２ａ，５２ａ  雌ねじ
４２ｂ，５２ｂ  ねじ穴
４４，５４  止めねじ
【図１】
2008241045.tif 000003
【図２】
2008241045.tif 000004
【図３】
2008241045.tif 000005
【図４】
2008241045.tif 000006
【図５】
2008241045.tif 000007
【図６】
2008241045.tif 000008
【図７】
2008241045.tif 000009